【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
液体吐出記録ヘッドであって、
駆動信号を液体吐出へッドに伝達するための複数の電気接点と、前記液体吐出記録へッドの筐体の一面に対向して配されたリジット基板に配線回路が形成されたカードエッジ基板と、を備えるカードエッジコンタクトと、
前記駆動信号に基づいて記録媒体に液体を吐出するために利用されるエネルギーを発生する記録素子を具備する記録素子基板と、
前記筐体の一面と前記カードエッジ基板との間に湾曲して取り付けられ、前記カードエッジコンタクトと前記記録素子基板とを電気的に接続する電気フレキシブルケーブルと、
を有し、
前記カードエッジコンタクトは、電気的に接続される相手側のコネクタへの当該カードエッジコンタクトの挿入方向が前記記録素子基板からの前記液体の吐出方向に沿った向きに構成されていることを特徴とする液体吐出記録ヘッド。
【請求項２】
前記電気フレキシブルケーブルは、前記筐体の一面に対向して配された前記カードエッジ基板へ至るまでの部位に、前記液体の吐出方向と交差する方向に延在する凸形状部を有することを特徴とする請求項１に記載の液体吐出記録へッド。
【請求項３】
前記凸形状部は、前記電気フレキシブルケーブルの上を前記筐体の一面側から前記カードエッジ基板へ向かう方向に交差する方向に当該電気フレキシブルケーブル上に設けられていることを特徴とする請求項２に記載の液体吐出記録へッド。
【請求項４】
前記凸形状部は、前記電気フレキシブルケーブルの表面に付着した前記液体が前記カードエッジ基板に向かって流れるのを堰き止めるためのものであることを特徴とする請求項２又は３に記載の液体吐出記録へッド。
【請求項５】
前記筐体の一面は、前記電気フレキシブルケーブルを接合するとともに、前記電気フレキシブルケーブルの上を前記筐体の一面側から前記カードエッジ基板へ向かう方向に交差する方向に前記電気フレキシブルケーブルの幅より長い凹溝が形成されていることを特徴とする請求項１乃至４のいずれかに記載の液体吐出記録ヘッド。
【請求項６】
前記凹溝は、前記筐体の一面に付着した前記液体が前記カードエッジ基板に向かって流れるのを捕捉するためのものであることを特徴とする請求項５に記載の液体吐出記録へッド。
【請求項７】
湾曲して取り付けられている前記電気フレキシブルケーブルは、前記液体の吐出口に向かって開口するＵ字形状であることを特徴とする請求項１乃至６のいずれかに記載の液体吐出記録へッド。
【手続補正２】
【補正対象書類名】明細書
【補正対象項目名】発明の名称
【補正方法】変更
【補正の内容】
【発明の名称】液体吐出記録ヘッド
【手続補正３】
【補正対象書類名】明細書
【補正対象項目名】０００１
【補正方法】変更
【補正の内容】
【０００１】
本発明は、紙や布などの記録媒体に対し液体を吐出させて記録を行う液体吐出記録ヘッドに関するものである。
【手続補正４】
【補正対象書類名】明細書
【補正対象項目名】００１３
【補正方法】変更
【補正の内容】
【００１３】
よって、本発明の目的は、液体吐出記録ヘッドカードリッジと記録装置との電気接続部における電気的信頼性を向上させることができるとともに、記録装置への装着が容易で小型化が可能な液体吐出記録ヘッドを提供することにある。
【手続補正５】
【補正対象書類名】明細書
【補正対象項目名】００１４
【補正方法】変更
【補正の内容】
【００１４】
また、本発明の他の目的は、駆動信号が伝達される複数の電気接点をもつカードエッジコンタクトと、駆動信号に基づいて記録媒体に液体を吐出するために利用されるエネルギーを発生する記録素子を具備する記録素子基板とを有する液体吐出記録ヘッドにおいて、カードエッジコンタクトと記録素子基板とが電気フレキシブルケーブルを介して電気的に接続されている液体吐出記録ヘッドを提供することにある。
【手続補正６】
【補正対象書類名】明細書
【補正対象項目名】００１５
【補正方法】変更
【補正の内容】
【００１５】
上記目的を達成するため、本発明の液体吐出記録ヘッドは、液体吐出記録ヘッドであって、駆動信号を液体吐出へッドに伝達するための複数の電気接点と、前記液体吐出記録へッドの筐体の一面に対向して配されたリジット基板に配線回路が形成されたカードエッジ基板と、を備えるカードエッジコンタクトと、前記駆動信号に基づいて記録媒体に液体を吐出するために利用されるエネルギーを発生する記録素子を具備する記録素子基板と、前記筐体の一面と前記カードエッジ基板との間に湾曲して取り付けられ、前記カードエッジコンタクトと前記記録素子基板とを電気的に接続する電気フレキシブルケーブルと、を有し、前記カードエッジコンタクトは、電気的に接続される相手側のコネクタへの当該カードエッジコンタクトの挿入方向が前記記録素子基板からの前記液体の吐出方向に沿った向きに構成されていることを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】変更
【補正の内容】
【００３９】
上記本発明によれば、液体吐出記録ヘッドカードリッジと記録装置との電気接続部における電気的信頼性を向上させることができるとともに、記録装置への装着が容易で小型化が可能な液体吐出記録ヘッドを提供することができる。
【手続補正３１】
【補正対象書類名】明細書
【補正対象項目名】００４０
【補正方法】変更
【補正の内容】
【００４０】
さらに、上記本発明によれば、駆動信号を液体吐出へッドに伝達するための複数の電気接点をもつカードエッジコンタクトと、駆動信号に基づいて記録媒体に液体を吐出するために利用されるエネルギーを発生する記録素子を具備する記録素子基板とを有する液体吐出記録ヘッドにおいて、カードエッジコンタクトと記録素子基板とが電気フレキシブルケーブルを介して電気的に接続されている液体吐出記録ヘッドを提供することができる。
【手続補正３２】
【補正対象書類名】明細書
【補正対象項目名】０１０６
【補正方法】変更
【補正の内容】
【０１０６】
（参考形態）
図１７は、本発明の参考形態に係る記録装置の全体を示す斜視図である。
【手続補正３３】
【補正対象書類名】明細書
【補正対象項目名】０１１６
【補正方法】変更
【補正の内容】
【０１１６】
このように、本参考形態の記録装置は、前述の各実施形態に係る記録ヘッドを着脱可能に保持するヘッド保持部材であるキャリッジ１０３と、液体吐出記録ヘッドのカードエッジコンタクトに設けられた電気接点に接続される電気接点端子を有し、キャリッジ１０３に取り付けられたカードエッジコネクタ１１３とを有している。
【手続補正３４】
【補正対象書類名】明細書
【補正対象項目名】０１１７
【補正方法】変更
【補正の内容】
【０１１７】
以上説明したように、各実施形態に記載された液体吐出記録ヘッドによると、液体吐出記録ヘッドのカードエッジコンタクトと記録素子基板とが電気フレキシブルケーブルを介して電気的に接続されているので、カードエッジコンタクトを液体吐出記録ヘッドにおける所望の位置に所望の向きで取り付けることができる。
【手続補正３５】
【補正対象書類名】明細書
【補正対象項目名】０１１９
【補正方法】変更
【補正の内容】
【０１１９】
【図１】本発明の第１の実施形態における記録ヘッドの全体を示す模式的斜視図である。
【図２】図１の記録ヘッドのカードエッジコンタクトとカードエッジコネクタとを示す模式的拡大断面図である。
【図３】図１の記録ヘッドのカードエッジコンタクトとカードエッジコネクタとを示す模式的拡大断面図である。
【図４】図１に示した第１の記録素子基板の模式的斜視図である。
【図５】図１に示した第２の記録素子基板の模式的斜視図である。
【図６】図１に示した記録ヘッドの構成を示す分解斜視図である。
【図７】図１等に示した記録ヘッドの製造方法を説明するための斜視図である。
【図８】記録ヘッドのカードエッジコンタクト近傍を示す模式的拡大断面図である。
【図９】図１等に示した記録ヘッドのインクタンクホルダとこれに対して位置合わせされたカードエッジコンタクトとを示す正面図である。
【図１０】本発明の第２の実施形態に係る記録ヘッドの全体を示す模式的斜視図である。
【図１１】図１０に示した記録ヘッドにおけるカードエッジコンタクトの部分を示す模式的拡大断面図である。
【図１２】本発明の第３の実施形態に係る記録ヘッドを一部を分解した状態で示す模式的斜視図である。
【図１３】図１２に示した記録ヘッドにおけるカードエッジコンタクトの部分を示す模式的拡大断面図である。
【図１４】図１２に示した記録ヘッドの一変形例を一部を分解した状態で示す模式的斜視図である。
【図１５】本発明の第４の実施形態に係る記録ヘッドの全体を示す模式的斜視図である。
【図１６】図１５に示した記録ヘッドの断面を示す模式的拡大断面図である。
【図１７】本発明の参考形態に係る記録装置の全体を示す概略斜視図である。
【図１８】図（ａ）は図１７に示した記録ヘッドの背面側を示す斜視図であり、図（ｂ）は図１７に示したキャリッジの正面側を示す斜視図である。